(57)【特許請求の範囲】
【請求項１】
中央部に支持ボルトまたはボード受けアダプタの螺子部を螺入させる螺子孔を有し、上面に載置される床板を支承する支承板と、
この支承板の下方から前記螺子孔に螺入する外部螺子部と前記支持ボルトを螺入させる内部螺子部とを有するボード受けアダプタと、
外周面に前記ボード受けアダプタに螺入させる螺子部を形成し、上端部に工具挿入可能に溝部を形成し、下端部に前記螺子部の径より小径の円筒部を形成した金属製の支持ボルトと、
この支持ボルトの径より大なる外径を有し、中央部に前記支持ボルトの円筒部を挿入させる挿入孔を穿設した円盤状のボルト受けと、
このボルト受けを取り外し可能に嵌着する嵌着溝を有する弾性体の台座部材とからなることを特徴とする床下支持装置。
【発明の詳細な説明】
【０００１】
【発明の属する技術分野】
本発明は集合住宅用の床高さを調節するための床下支持装置に関する。
【０００２】
【従来の技術】
従来、集合住宅等の床下支持装置は、図３に示すように、床板を支承する合成樹脂製の支承板１と、この支承板に螺入する合成樹脂製の支持ボルト２と、この支持ボルト２の下部に嵌着されてクッションおよび台座として機能する弾性体の台座部材３とからなっている。支承板１および支持ボルト２を形成する合成樹脂の具体例としてはポリアミド６６，６などが、また、台座部材３を形成する弾性体の具体例としてはクッションラバーが挙げられる。
【０００３】
〔問題点〕
このような床下支持装置を使用して床面を構築する場合、ピアノ等の重量物の設置場所では床面を強くする必要があるため、この箇所には床下支持装置の本数を多く設置しなければならなくなり、そのため二重床の配線・配管処理が複雑な施行になるという問題点があった。
また、最近、床面を同一平面ではなく、段部を設けて室内に変化を持たせる床面の構築がある。このような床を構築する床下支持装置は、ナイロン等の比較的荷重強度のある合成樹脂製の床下支持装置で支えていたが、床高が高くなると荷重強度が弱くなるという問題点があった。
【０００４】
【発明が解決しようとする課題】
本発明は、従来の技術における前記問題点を解消するためのものであり、そのための課題は、床面に高い荷重強度や高い床高が要求される箇所では、支持ボルトを金属製の支持ボルトに変更することができ、少ない部品点数でも高荷重に耐える床下支持装置を提供することにある。
【０００５】
【課題を解決するための手段】
本発明における課題解決のために具体的に構成した請求項１に係る床下支持装置は、中央部に支持ボルトまたはボード受けアダプタの螺子部を螺入させる螺子孔を有し、上面に載置される床板を支承する支承板と、この支承板の下方から前記螺子孔に螺入する外部螺子部と前記支持ボルトを螺入させる内部螺子部とを有するボード受けアダプタと、外周面に前記ボード受けアダプタに螺入させる螺子部を形成し、上端部に工具挿入可能に溝部を形成し、下端部に前記螺子部の径より小径の円筒部を形成した金属製の支持ボルトと、この支持ボルトの径より大なる外径を有し、中央部に前記支持ボルトの円筒部を挿入させる挿入孔を穿設した円盤状のボルト受けと、このボルト受けを取り外し可能に嵌着する嵌着溝を有する弾性体の台座部材とからなることを特徴とする。
【０００６】
このため、支承板の下方からボード受けアダプタの外部螺子部を螺子孔に螺入し、このボード受けアダプタの内部螺子部に支持ボルトの溝部形成側の端部を螺入させ、支持ボルトの円筒部をボルト受けの挿入孔に挿入して、ボルト受けを台座部材の嵌着溝に嵌着させることにより、床下支持装置が組み立てられ、支承板の上面に床板を載置して支承することができるようになる。
【０００７】
これにより、ボード受けアダプタが新たに製作されたことにより支承板に金属製の支持ボルトが螺入できるようになり、また、金属製の支持ボルトの下端部には円筒部をボルト受けに挿入してボルトを介して台座部材に加えられる圧縮荷重を分散させて応力集中を起こさないようにすることができて台座部材の耐久性を確保し、従来からある支承板と台座部材とを利用して金属製の支持ボルトを使用できる床下支持装置が形成でき、床面に高い荷重強度や高い床高が要求される場合であっても柔軟に対処できるようになる。
【０００８】
【発明の実施の形態】
本発明における以下の実施の形態では図１，２記載の床下支持装置の場合について説明する。
ただし、本実施の形態は、本考案をより良く理解させるため、具体的に説明するものであり、特に指定のない限り、別態様を制限するものではない。
【０００９】
〔構成〕
図１は一実施形態における床下支持装置の構成を示す分解斜視図、図２は床下支持装置の組立て状態を示す縦断面図である。
この実施形態における床下支持装置は、床板を載置させる支承板１と、この支承板１に螺合して従来の支持ボルト（図示せず）が螺合できる螺子に金属製の支持ボルト６を螺合できるようにするボード受けアダプタ５と、ボード受けアダプタ５に螺合して支承板１に載置された床からの荷重を支える金属製の支持ボルト６と、金属製の支持ボルト６の下端を嵌合して台座部材３に支持させるボルト受け７と、ボルト受け７を保持して支持ボルト６を立設させ、床板を支承させる台座部材３とからなり、支承板１と台座部材３とは従来品と同等のものを使用する。
【００１０】
支承板１は、上面に粘着テープを張着したナイロン製で、板状に形成した上部の中央部に雌螺子を有するボスを一体に垂下させた形状とし、その中央にボード受けアダプタ５を螺合する螺子孔１ａを設けるとともに上面１ｂに床板を載置できる平面を形成する。螺子孔１ａはボード受けアダプタ５を螺合しない場合には従来の合成樹脂製の支持ボルトを螺合することができるように螺子部の各寸法を定める。
【００１１】
ボード受けアダプタ５は、支承板１の下方から螺子孔１ａに螺合する外部螺子５ａを外周面に形成し、金属製の支持ボルト６を螺合させる内部螺子５ｂを内周面に形成し、六角ボルト頭５ｃを一端部に形成した筒状部品とし、支承板１に対して従来の支持ボルトの他に、金属製の支持ボルト６を使用できるようにする。
【００１２】
床面に高い荷重強度や高い床高が要求される場合に使用する金属製の支持ボルト６は、外周面にボード受けアダプタ５に螺合させる螺子部６ａを形成し、上端部にマイナスのドライバ等の工具挿入可能な溝部６ｂを形成し、下端部に螺子部６ａの谷径より小径の円筒部６ｃを形成する。
【００１３】
円盤状のボルト受け７は、ナイロン等の合成樹脂または金属からなる孔明き円盤とし、支持ボルト６の外径より大なる外径を有し、中央部に支持ボルト６の円筒部６ｃを挿入させる挿入孔７ａを穿設し、挿入孔７ａに円筒部６ｃを挿入させることにより支持ボルト６を安定良く立設させることができるようになる。
【００１４】
弾性体の台座部材３は、クッションゴムにより円錐台形に形成し、上面側に大きな径の穴３ａ、下面側に小さな径の孔３ｂを設け、その中間の上面寄りの位置に大きな径の穴３ａよりも径を大きくした拡径部を形成して、ボルト受け７を取り外し可能に嵌着する嵌着溝３ｃを設ける。嵌着溝３ｃは台座部材３の上面に穿設された穴３ａよりも径の大きな溝としたからボルト受け７の外形が嵌着すると穴３ａにより上面を抑えられて簡単には抜けなくなり、支持ボルト６を確実に安定良く立設できるようになる。
【００１５】
〔作用・効果〕
この実施形態における床下支持装置では、支承板１の下方からボード受けアダプタ５の外部螺子５ａを螺子孔１ａに螺入し、このボード受けアダプタ５の内部螺子５ｂに金属製の支持ボルト６の溝部形成側の端部を螺入させ、この支持ボルト６の円筒部６ｃをボルト受け７の挿入孔７ａに挿入して、ボルト受け７を台座部材３の嵌着溝３ｃに嵌着させることにより、床下支持装置が組み立てられ、台座部材３に植立させた金属製の支持ボルト６によって支承板１の上面に載置された床板側から受ける大きな荷重を支えることができる。
【００１６】
これにより、従来からある支承板１と台座部材３とを利用して、金属製の支持ボルト６を使用した床下支持装置が形成でき、床面に高い荷重強度や高い床高が要求される場合であっても柔軟に対処できる。
このため、従来の合成樹脂製支持ボルトでは床高の上限が  ２５０ｍｍ程度となっていたものを、金属製支持ボルトに置換させることにより  ４５０ｍｍ程度まで高くすることができるようになった。
【００１７】
〔別態様〕
この実施形態は、本考案をより良く理解させるためのものであるから、別態様を制限するものではない、このため、本考案の趣旨に従う別態様を例示する。
例えば、支承板１はナイロン製としたが材質を制限するものでなく、用途に適合する材料であれば何を使用しても良い。支承板１には上面に粘着テープを張着したものを使用したが、載置させるパネルボードに床下支持装置用の孔加工がしてあるものを使用する場合には粘着テープを張着しない支承板１を使用しても良い。金属製の支持ボルトにマイナスの溝部を設けてマイナスドライバ等の工具を挿入可能にしたが、プラス字形の穴を設けてプラスドライバを挿入可能にしても良い。台座部材にはクッションゴムとして天然ゴムの他、低反発弾性ゴムを使用できる。台座部材の形状は円錐台形の他に円柱形等の形状にしても良い。
【００１８】
【発明の効果】
以上のように本発明では、請求項１に係る床下支持装置は、支承板の下方からボード受けアダプタの外部螺子部を螺子孔に螺入し、このボード受けアダプタの内部螺子部に支持ボルトの溝部形成側の端部を螺入させ、支持ボルトの円筒部をボルト受けの挿入孔に挿入して、ボルト受けを台座部材の嵌着溝に嵌着させることにより組み立て、支承板の上面に床板を載置して支承することができるようにしたことによって、ボード受けアダプタが新たに製作されて支承板に金属製の支持ボルトが螺入できるようになり、また、金属製の支持ボルトの下端部には円筒部をボルト受けに挿入してボルトを介して台座部材に加えられる圧縮荷重を分散させて応力集中を起こさないようにすることができ、台座部材の耐久性を向上し、従来からある支承板と台座部材とを利用して金属製の支持ボルトを使用できる床下支持装置が実現できて、床面に高い荷重強度や高い床高が要求される場合であっても柔軟に対処することができる。
【図面の簡単な説明】
【図１】本発明による実施形態の床下支持装置の構成を示す分解斜視図である。
【図２】本発明による実施形態の床下支持装置の組立て状態を示す縦断面図である。
【図３】従来の床下支持装置を示す縦断面図である。
【符号の説明】
１  支承板
１ａ  螺子孔
１ｂ  上面
３  台座部材
３ｂ  嵌着溝
５  ボード受けアダプタ
５ａ  外部螺子（外部螺子部）
５ｂ  内部螺子（内部螺子部）
６  支持ボルト
６ａ  螺子部
６ｂ  溝部
６ｃ  円筒部
７  ボルト受け
７ａ  挿入孔
【図１】
0003628846.tif 000002
【図２】
0003628846.tif 000003
【図３】
0003628846.tif 000004